(57)【要約】【課題】爆発現象に耐えられ且つ設置された建物に加わる応力が低減されるよう重量が低減されたカーテンウォールをもたらすパネルの提供。【解決手段】特に耐爆発カーテンウォールを提供するためのパネルは、１つ以上のガラス板(4)を備える。ガラス板(4)は支持枠(3)と結合され、それを構成する少なくとも２つの垂直材(5a,5b)は少なくとも２つの横材(24)にて接続される。パネル(1)は垂直材(5a,5b)及び横材(24)を強化し且つ相互接続するための第１の手段(25)と、垂直材(5a,5b)に結合され、上下の２つのパネル(1)の２つの連続する垂直材(5a,5b)の相互の位置を強化し且つ案内するための第２の手段(32,37)とを備える。パネル(1)は、並んで配置された２つのパネル(1)の２つの隣接する垂直材(5a,5b)の相互の回転を制限するための第３の手段(44)を更に有する。【選択図】図３
2007205159.tif 000002
【特許請求の範囲】
【請求項１】
ガラスユニットを形成するように、１つ又はそれ以上のガラス板(4)を備え、前記ガラス板（4）は、少なくとも２つの垂直材（5a,5b）により構成された支持枠（3）と結合され、２つの垂直材（5a,5b）には、それらの上端（14）及び下端（15）に横材（24）が接続されている、特に耐爆発カーテンウォールを提供するためのパネルにおいて、
前記垂直材（5a,5b）及び横材（24）を強化するとともに相互に接続するための第１の手段（25）と、
前記垂直材（5a,5b）に結合され、上下に配置された２つのパネル（1）の２つの連続する垂直材（5a,5b）の相互の位置を強化するとともに案内するための第２の手段（32,37）とを備え、
前記パネル（1）には、並んで配置された２つのパネル（1）の２つの隣接する垂直材（5a,5b）の相互の回転を制限するための第３の手段（44）が設けられている
ことを特徴とするパネル。
【請求項２】
第１のシート（6）が、垂直材（5a,5b）及び横材（24）に対し軸方向に形成され、且つ、略四角形の平面形状を有し、
前記垂直材及び横材を強化するとともに相互に接続するための前記第１の手段は、少なくとも１つのブロック（25）を備え、
ブロック（25）は、平行六面体状に略成形され、且つ、前記横材（24）に軸線方向に形成された第１のシート（6）のうちの１つの形状と実質的に相補的な平面形状を有し、
前記少なくとも１つのブロック（25）は、使用中、前記横材（24）の第１のシート（6）のうち１つの内側に部分的に配置可能である
ことを特徴とする請求項１に記載のパネル。
【請求項３】
前記少なくとも１つのブロック（25）は、適当に設けられた第１のねじ（26）によってそれぞれの横材（24）に堅固に結合され、
前記第１のねじ（26）は、隣接する垂直材の第１の側壁（8）に形成された第３の孔（27）を貫通し、前記ブロック（25）の上面に形成されて相補的にねじ山をつけられた第４の孔（28）に回転可能に結合される
ことを特徴とする請求項１又は２に記載のパネル。
【請求項４】
使用中、それぞれの横材（24）の前記第１のシート（6）の外側に向けられる、前記少なくとも１つのブロック（25）の正面（29）に、前記垂直材（5a,5b）に設けられた第１の孔（18）に位置して、ねじ山をつけられた第５の孔（30）が形成され、
前記第５の孔（30）は、適当に設けられた第２のねじ（31）を固定するのに適し、
第２のねじ（31）は、前記少なくとも１つのブロック（25）の固定を確実にし、そしてそれゆえ、少なくとも１つのブロック（25）に堅固に結合された各横材（24）の前記垂直材（5a）への固定を確実にする
ことを特徴とする請求項１又は３に記載のパネル。
【請求項５】
２つの連続する垂直材（5a,5b）の相互の位置を強化するとともに案内するための第２の手段は、前記垂直材（5a,5b）に結合され、
上下に配置された２つのパネル（1）はそれらと結合され、
前記第２の手段は、雄部材（32）を有し、
雄部材（32）は、前記垂直材（5a,5b）の下端（15）に結合可能であり、且つ、第１のヘッド（33）を形成するように、略Ｔ字の平面形状を有するプラグによって構成され
第１のヘッド（33）は、略長方形の平面形状、略長方形の横断面及び前記垂直材（5a,5b）の前記第１のシート（6）内に部分的にそれを挿入するのを許容する寸法を有する
ことを特徴とする請求項１乃至４の何れかに記載のパネル。
【請求項６】
第１のヘッド（33）は、適当に設けられた第３のねじ（34）によって、使用中、それぞれの垂直材（5a,5b）に堅固に固定可能であり、
第３のねじ（34）は、第２の孔（19）に挿入され、適当に設けられて相補的にねじ山をつけられた第６の孔（35）に固定可能であり、
第２の孔（19）はそれぞれの垂直材（5a,5b）の下端（15）近傍に形成され、
第６の孔（35）は前記第１のヘッド（33）に形成されている。
ことを特徴とする請求項１又は５に記載のパネル。
【請求項７】
略長方形の平面形状を有し且つ傾斜した端部を有する第１の脚（36）が、前記雄部材（32）の第１のヘッド（33）から、それぞれの垂直材（5a，5b）に対して反対側にて突出していることを特徴とする請求項１又は６に記載のパネル。
【請求項８】
前記第１の脚（36）は、使用中、前記雄部材（32）が結合された垂直材（5a,5b）に対して軸方向及び外部方向に突出していることを特徴とする請求項１又は７に記載のパネル。
【請求項９】
前記第２の手段は雌部材（37）を有し、
雌部材（37）は、前記垂直材（5a,5b）の上端（14）にその前記第１のシート（6）にて結合可能であり、且つ、第１のベース（38）を形成するように略Ｕ字形状の平面形状を有するプラグによって構成され、
第１のベース（38）は略長方形の平面形状、略長方形の横断面形状及び垂直材（5a,5b）に設けられた第１のシート（6）に、使用中、収容可能であるような寸法を有する
ことを特徴とする請求項１、５、６、７及び８の何れかに記載のパネル。
【請求項１０】
前記第１のベース（38）は、適当に設けられた第４のねじ（39）によってそれぞれの垂直材（5a,5b）に固定可能であり、
第４のねじ（39）は、垂直材（5a,5b）にその上端（14）近傍にて形成された前記第２の孔（19）に挿入可能であり、且つ、適当に設けられ相補的にねじ山をつけられた第７の孔（40）に固定可能であり、
第７の孔（40）は、前記第１のベース（38）に形成され、且つ、前記第２の孔（19）と軸方向に並べられている
ことを特徴とする請求項１又は９に記載のパネル。
【請求項１１】
２つの第１のアーム（41a,41b）は、前記垂直材（5a,5b）に対して反対側にて前記ベース（38）から略直角に突出し、且つ、傾斜した端部を有する平行六面体状に略成形され、
前記２つの第１のアーム（41a,41b）間の相互の距離は、選択された動作によって、それらの間に前記雄部材（32）の前記第１の脚（36）を収容可能なものである
ことを特徴とする請求項１又は９に記載のパネル。
【請求項１２】
前記第１の側壁（8）は、前記垂直材（5a,5b）よりも、それらの上端（14）及び下端（15）の近傍に第１の開口（16）を形成するために短く、
前記雌部材の前記第１のアーム（41a,41b）は、使用中、それぞれの垂直材（5a,5b）の開口（16）に略配置される
ことを特徴とする請求項１又は１１に記載のパネル。
【請求項１３】
２つの前記パネル（1）が上下に配置され、
他方のパネル（1）の上に配置されたパネル（1）における前記垂直材（5a,5b）と結合された前記雄部材（32）の前記第１の脚（36）は、下に配置された前記パネル（1）における前記雌部材（37）の前記２つのアーム（41a,41b）間に設けられた空間にそれぞれ配置される
ことを特徴とする請求項１乃至１２の何れかに記載のパネル。
【請求項１４】
前記雄部材(32)及び雌部材(37)は、前記連続したパネル(1)が軸方向の移動及び回転のうち一方又は両方を実行するのを許容することを特徴とする請求項１乃至１３の何れかに記載のパネル。
【請求項１５】
垂直材（5a,5b）に結合された前記雄部材(32)の前記第１の脚(36)は、適当に設けられ相補的に成形された第３のシート（42）に挿入可能であり、
第３のシート(42)は、実質的に長方形の平面形状を有し、第１のパネル(1)を支持するのに適したフーチング（43）に形成され、且つ、前記第１の脚(36)が軸方向にその中に挿入されること及び前記第３のシート(42)から逃げることなくその配置された平面に対して選択された回転を実行するのを許容するような寸法を有する
ことを特徴とする請求項１乃至１４の何れかに記載のパネル。
【請求項１６】
第２のシート（11）は、前記垂直材（5a,5b）にそれらの側端（10）近傍にて形成され、前記垂直材（5a,5b）の全長に亘り軸方向に存在し、且つ、前記第２のシート（11）にその全長に沿って存在するアクセスポート（12）及び２つの隣接部（13）を形成するように略Ｔ字形状の横断面を有利には有し、
前記パネル(1)は、相互に並べられた２つのパネル(1)の隣接する２つの前記垂直材（5a,5b）の相互の回転を制限する第３の手段を備え、
前記第３の手段は、ばね（44）によって構成され、互いに側方に隣接する別々のパネル(1)が爆発の間分離しないことを確保にするのに適し、これにより水平方向でもカーテンウォールの連続性が確保される
ことを特徴とする請求１乃至１５の何れかに記載のパネル。
【請求項１７】
前記ばね(44)は、内部に略平坦な第２のベース（45）が存在する略Ｕ字形状の平面形状をなすよう押し出された又は折られた薄板により構成され、
第２のベース（45）の寸法は、第２のベース（45）が、使用中、相互に嵌合された２つの垂直材（5a,5b）の相互に面する２つの前記第２のシート（11）内に収容可能であるものである
ことを特徴とする請求項１又は１６に記載のパネル。
【請求項１８】
前記ばね(44)の前記第２のベース（45）は、使用中、垂直材（5a,5b）の前記第２の側壁（17）に隣接する第２のシート（11）のうちの１つの中に配置され、且つ、適当に設けられた第１のピン(46）によってそこに固定可能であり、
第１のピン（46）は、適当に設けられ前記第２の側壁（17）に形成された第８の孔に固定可能である
ことを特徴とする請求項１又は１７に記載のパネル。
【請求項１９】
２つの第２のアーム（47a,47b）は、前記第２のベース（45）から突出し、実質的に平坦で相互に平行であり、且つ、前記第２のベース（45）に傾斜部によって接続され、
傾斜部は、第２のアーム（47a,47b）が相互に近付く方向でのそれらの弾性的な曲げを容易にする
ことを特徴とする請求項１又は１８に記載のパネル。
【請求項２０】
前記２つの第２のアーム（47a,47b）の長さは、相互に嵌合された２つの垂直材（5a,5b）の相互に面する２つの第２のシート（11）間の空間によって形成される距離の合計よりも短いことを特徴とする請求項１又は１９に記載のパネル。
【請求項２１】
前記２つの第２のアーム（47a,47b）の自由端は、それぞれの第２のシート（11）の深さ方向にて略中間に配置され、前記ばね(44)の外側に向け且つ前記ベース（45）に向けて折られた２つの傾斜したフック（48a,48b）をそれぞれ形成し、
フック（48a,48b）は、使用中、隣接する垂直材（5a）の前記第２のシート（11）内に配置可能である
ことを特徴とする請求項１又は２０に記載のパネル。
【請求項２２】
前記フック（48a,48b）は、使用中、前記アクセスポート（12）を通じて第２のシート（11）から前記フック（48a,48b）が逃げるのを防止するべく、前記第２のシート（11）に形成された隣接部（13）にそれぞれ係合可能であることを特徴とする請求項１、１６及び２１の何れかに記載のパネル。
【請求項２３】
パネル(1)は、建物の耐圧構造物（49）にパネル(1)を固定するための手段を備え、
耐圧構造物（49）は支持体（50）を有利には備え、
支持体(50)は平行六面体状に略成形され、
２つの第４のシート（51）が支持体(50)の軸方向に存在し、
第４のシート（51）は、第２のアクセスポート(52)及び２つの第２の縦の隣接部（53a,53b）を形成するよう、略Ｔ字形状の横断面を有利には有し、
第２のアクセスポート(52)及び第２の縦の隣接部（53a,53b）は、第４のシート（51）の全長に沿って存在し、
第２の開口（54）は、第２のアクセスポート(52)とは反対側にて、前記第２のアクセスポート(52)の軸方向に並んで設けられ且つ支持体(50)に存在し、
第２のピン（55）は適当に設けられ、第２の開口（54）に挿入可能であり且つ前記耐圧構造物（49）に固定可能である
ことを特徴とする請求項１乃至２２の何れかに記載のパネル。
【請求項２４】
少なくとも１つのブラケット（56）は、前記第４のシート（51）のそれぞれにスライド可能に結合可能であり、且つ、第２のヘッド（57）を形成するように略Ｔ字形状の平面形状を有利には有し、
第２のヘッド（57）は、平行六面体状に実質的に成形され、且つ、前記第４のシート（51）とスライド可能に結合可能であり、
内部にねじ山をつけられた第９の孔（58）が前記第２のヘッド（57）に対し略軸方向に形成されている
ことを特徴とする請求項１又は２３に記載のパネル。
【請求項２５】
第２の脚(59)は、前記第２のヘッド（57）から略直角に突出し、実質的に板状であり、且つ、適当に設けられた第３の開口を通じて前記垂直材（5a,5b）の前記第１のシート（6）内に挿入可能であり、
前記第３の開口は、前記垂直材（5a,5b）にそれらの前記上端（14）近傍にて形成されている
ことを特徴とする請求項１又は２４に記載のパネル。
【請求項２６】
前記第２の脚(59)は、第５のねじ（60）によってそれぞれの垂直材に固定可能であり、
第５のねじ（60）は、適当に設けられ前記第１の側壁（8）に形成された第10の孔（61）に結合可能であり、且つ、第２の脚(59)に形成され相補的にねじ山をつけられた第11の孔（62）に固定可能であり、
前記支持体(50)に対する前記ブラケット（56）の軸方向位置は、適当に設けられた調整手段（63）によって調整可能である
ことを特徴とする請求項１又は２５に記載のパネル。
【請求項２７】
前記調整手段は、第６のねじ（63）により構成され、
第６のねじ（63）のねじ山をつけられた軸は、相補的にねじ山をつけられた前記第９の孔（58）と協働し、
第６のねじ（63）は、前記第２のヘッド（57）及び孔あき板（64）からなる挿入物と軸方向に結合され、
前記孔あき板（64）は、前記第２のヘッド（57）の下方への逃げを防止するために、前記第４のシート（51）の上端に対して接するのに適している
ことを特徴とする請求項１又は２６に記載のパネル。
【発明の詳細な説明】
【技術分野】
【０００１】
本発明はパネルに係わり、特に耐爆発カーテンウォールを提供するためのパネルに関する。
【背景技術】
【０００２】
現在、普通に建てられる建物のガラス外壁は、複数のパネルによって部分的若しくは全体的に構成され、パネルは１つ又はそれ以上のガラス板を有する。ガラス板は、略平坦で相互に平行であり、適当に設けられた枠によって支持される。枠は、通常金属製であり、建物の支持構造に固定可能である。
これらの枠は、一般に、２つの金属製の垂直材を備え、垂直材は、略相互に平行であり、それらの端にて２つの横材により接続される。２つの垂直材及び２つの横材は、使用中、隣接するパネルの垂直材及び横材とそれぞれ嵌合するために、雄雌の連結手段を更にそれぞれ備える。
【０００３】
とりわけ、例えば軍事利用、銀行及び政治活動の中心のための建物など、危険に特にさらされる建物に設置されるのに適したパネルを提供することが知られている。
【発明の開示】
【発明が解決しようとする課題】
【０００４】
このような公知のタイプのパネルを設計する現在の手順は、爆発の際に生じる圧力と等価な静荷重に、永久的な変形を受けることなくパネルが耐えるように、パネルの大きさを決定することを必要とする。これは、パネルを構成する枠及びガラス板の大きな厚さ及びそのための重量を必要とし、そしてそれ故、それらの製造、輸送及び設置のための高いコストを伴う。
【０００５】
更に、このような公知のタイプのパネルの大きな重量は、それらが適用された建物の耐圧構造に極めて強い機械的応力を加えるという追加的な欠点を伴う。これにより、結果として生じる更なるコスト増加とともに、耐圧構造を強化する必要があるケースもある。
更に、公知のタイプのパネルは、爆発によって加えられた応力に弾性的に変形することにより対処し、それらは建物の耐圧構造に、爆発のエネルギーのかなりの量を運び、そのため耐圧構造が損傷する可能性がある。
【０００６】
本発明の目標は、爆発現象に耐えることが可能であり、且つ、設置された建物に加わる応力が低減されるよう重量が低減されたカーテンウォールをもたらすパネルを提供することによって、上記背景技術の欠点を解消し、上述した問題を解決することにある。
この目標において、本発明の一の目的は、簡単に輸送可能であり且つ建物に設置可能であるパネルを提供することにある。
【０００７】
本発明の他の目的は、その近傍で爆発が発生している間、本発明が結合された建物の耐圧構造に強い機械的な応力を伝えることを回避し、これにより、建物への損傷を制限することにある。
本発明のまた他の目的は、建物の外で起きた爆発に対し、適用された建物の内部環境を保護するパネルを提供することにある。
【０００８】
本発明の更に他の目的は、背景技術に対し、製造、輸送及び設置コストが低いパネルを提供することにある。
【課題を解決するための手段】
【０００９】
この目標及びこれら目的は、以下でより明瞭になり、特に耐爆発カーテンウォールを提供するためのパネルによって達成される。パネルは、ガラスユニットを形成するように、１つ又はそれ以上のガラス板を備える。ガラス板は支持枠と結合され、支持枠は少なくとも２つの垂直材により構成される。２つの垂直材には、それらの上端及び下端に、少なくとも２つの横材が接続される。パネルは、垂直材及び横材を強化するとともに相互に接続するための第１の手段と、垂直材に結合され、上下に配置された２つのパネルの２つの連続する垂直材の相互の位置を強化するとともに案内するための第２の手段とを備え、パネルには、並んで配置された２つのパネルの２つの隣接する垂直材の相互の回転を制限するための第３の手段が設けられていることを特徴とする。
【００１０】
本発明の更なる特徴及び有利な点は、添付の図面に非限定的な例として図示された、特別だが排他的ではない発明の実施形態についての以下の詳細な説明から、より明らかになるであろう。
【発明を実施するための最良の形態】
【００１１】
典型的な実施形態では、特定の実施例と関連して与えられる個々の特徴は、他の典型的な実施形態に存在する他の異なる特徴と実際に入れ替えられてもよい。更に、特許過程の間に既知であるとわかったものは、請求されるものではなく、放棄の対象になることに留意する。
図面を参照すると、符号１は、特に耐爆発カーテンウォール２を提供するためのパネルに付されている。パネル１は、ガラスユニットを構成するよう、１つ又はそれ以上のガラス板４を支持するための枠３と結合されている。
【００１２】
枠３は、符号5a及び5bがそれぞれ付された２つの垂直材により構成され、垂直材5a,5bは、好ましくは金属製であり、略長方形の横断面を有する。
第１のシート６は、垂直材5a,5bに対して軸方向に設けられ、略長方形の平面形状を有し、そして、垂直材5a,5bの全長に沿って存在し又は全長に亘って延びる。
垂直材5a,5bは、追加の隣接するパネル１の垂直材5a,5bとの雄雌の嵌め合いのための手段（嵌合手段）と更に協働する。
【００１３】
有利には、雄雌の嵌合手段は、１つ又はそれ以上の溝７を有し、溝７は、２つの垂直材5a,5bのうちの一方の第１の側壁８に対し横及び外に形成されている。溝７の中にはタブ９が挿入され、タブ９は、他方の垂直材5b又は5aの第１の側壁８から略直角に突出している。１つ又はそれ以上の溝７は、垂直材5a,5bの全長に亘り存在し又は延びている。
第２のシート11は、垂直材5a,5bに、それらの側端10のうち一方の近傍にて形成されている。側端10は、使用中、ガラス板４に向けられ、１つ又はそれ以上の溝７に近接する。シート11は、垂直材5a,5bの全長に亘り存在し又は軸方向に延び、第１のアクセスポート12及び２つの第１の隣接部13を形成するよう、略Ｔ字形状の横断面を有利には有する。アクセスポート12及び２つの第１の隣接部13は、第２のシート11の全長に亘り存在し又は延びる。
【００１４】
第１の側壁８は、垂直材5a,5bの上端14及び下端15の近傍に第１の開口16を形成するように、垂直材5a,5bよりも短い。
有利には、垂直材5a,5bは第２の側壁17を有し、第２の側壁17は、第１の側壁８に略平行である。第２の側壁17には、第１の孔18が、第１の開口16に位置して設けられている。第２の側壁17は、第２の側壁17に対し横方向に位置する軸に沿って第２の側壁17が相互に整列されるよう有利には配置される。
【００１５】
第２の孔19は、第１の側壁８に第１の開口16の近傍の領域にて有利には設けられ、必ずではないが有利には、長方形の略角に配置されている。
垂直材5a,5bの側端10に隣接して、ガラス板４の接続及びシールのための公知のタイプの適当な手段が存在する。この手段は、例えば、適当に設けられたガスケット20及び構造物の封止剤（シーラント剤）からなる１つ又はそれ以上の第１の層21からなる。
【００１６】
添付の図面に示される典型的な実施形態では、２つのガラス板４が存在し、ガラス板４は、互いに面するよう配置されている。ガラス板４は、適当に設けられたスペーサ管22によって間隔をあけた状態に保たれ、構造物の封止材からなる第２の層23によって相互に結合されている。最も内側のガラス板４は、プラスチック材料からなる１つ又はそれ以上のシートで有利には強化されている。
【００１７】
垂直材5a,5bは、それぞれの上端14及び下端15にて、２つの横材24によって相互に接続されている。横材24は、２つの垂直材5a,5bに実質的に類似した横断面を有利にはそれぞれ有し、それ故、横材24もまた、垂直材5a,5bのシートに類似した第１のシート６、第１の側壁８、第２の側壁17、及び垂直材5a,5bに関連して上述したものに類似した雄雌タイプの結合のための手段を有する。
【００１８】
第１の、垂直材5a,5b及び横材24を強化するとともに相互接続するための相互接続手段が更に設けられ、相互接続手段は、少なくとも１つのブロック25を有利には有する。ブロック25は、平行六面体状に略成形され、使用中、第１のシート６の内部に部分的に位置付け可能なように、平面図でみて、横材24に形成された第１のシート６のうちの１つに対し実質的に相補的に成形されている。
【００１９】
有利には、ブロック25は、適当に設けられた第１のねじ26によって、それぞれの横材24に堅固に結合可能である。第１のねじ26は、第１の側壁８に形成された第３の孔27を貫通し、ブロック25の上面に形成され、相補的にねじ山をつけられた第４の孔28と回転可能に結合可能である。
ねじ山をつけられた第５の孔30は、垂直材5a,5bに設けられた第１の孔18に位置して、ブロック25の正面29に形成され、使用中、ブロック25の正面29は、第１のシート６の外側に向けられる。第５の孔30は、適当に設けられた第２のねじ31を固定するのに適し、第２のねじ31は、ブロック25及びそれ故ブロック25に堅固に結合された横材24を垂直材5a又は5bに固定する。
【００２０】
第２の、連続する２つの垂直材5a,5bの相互の位置を強化するとともに案内する案内手段が、垂直材5a,5bに更に結合され、そして、上下に配置された２つのパネル１は案内手段に結合される。
図５及び図６に示されるように、第２の手段は雄部材32を有する。雄部材32は、垂直材5a,5bの下端15に結合可能であり、第１のヘッド33を形成するよう、略Ｔ字形状の平面形状を有するプラグによって構成される。第１のヘッド33は、略長方形の平面形状を有し、そして、略長方形の横断面及び垂直材5a,5bの第１のシート６内に第１のヘッド33が部分的に挿入されることを許容する寸法を有する。
【００２１】
第１のヘッド33は、使用中、適当に設けられた第３のねじ34によってそれぞれの垂直材5a,5bに堅固に固定可能である。第３のねじ34は、垂直材5a,5bの下端15近傍に設けられた第２の孔19に挿入され、そして、適当に設けられ相補的にねじ山をつけられた第６の孔35に固定可能である。第６の孔35は、第１のヘッド33に形成される。
第１の脚36は、雄部材32の第１のヘッド33から、それぞれの垂直材5a,5bに対して反対側にて突出している。第１の脚36は、略長方形の平面形状を有し、傾斜した端部を有する。第１の脚36は、使用中、雄部材32が結合された垂直材5a,5bに対し、軸方向にて外に突出する。
【００２２】
第２の案内手段は、雌部材37を有し、雌部材37は、第１のシート６にて垂直材5a,5bの上端14に結合可能である。雌部材37は、第１のベース38を形成するよう、略Ｕ字形状の平面形状を有するプラグにより構成され、第１のベース38は、略長方形の平面形状、略長方形の横断面、及び垂直材5a,5bの第１のシート６内に、使用中、第１のベース38を収容することを許容する寸法を有する。
【００２３】
第１のベース38は、それぞれの垂直材5a,5bに、適当に設けられた第４のねじ39によって固定可能である。第４のねじ39は、垂直材5a,5bにそれらの上端14近傍にて適当に設けられた第２の孔19に挿入可能であり、適当に設けられ相補的にねじ山をつけられた第７の孔40に固定可能である。第７の孔40は、第１のベース38に設けられ、第２の孔19と軸方向に整列される。
【００２４】
２つの第１のアームは、符号41a及び41bによってそれぞれ示される。第１のアーム41a,41bは、垂直材5a,5bに対し反対側にて、略直角にベース38からそれぞれ突出し、そして、傾斜した端部を有した平行六面体状に略成形されている。２つの第１のアーム41a,41b間の相互の距離は、雄部材32の第１の脚36が、選択された動作によって第１のアーム41a,41b間に収容可能であるものである。
【００２５】
有利には、雌部材37の第１のアーム41a,41bは、使用中、それぞれの垂直材5a,5bの第１の開口16に略配置される。
２つのパネル１を上下に配置することにより、他のパネル１の上に配置されたパネル１の垂直材5a,5bに結合された雄部材32の第１の脚36は、下に配置されたパネル１の雌部材37の２つのアーム41a,41b間に設けられた空間内にそれぞれ配置される。雄部材32の雌部材37との係合は、２つのパネル１間の接続の堅さを向上し、そして、実質的な相互の並進運動及び回転の両方又はいずれか一方でさえも、分離することなく実行することをパネル１に更に許容する。
【００２６】
図７に示されるように、垂直材5a,5bに結合された雄部材32の第１の脚36は、適当に設けられ、相補的に成形された第３のシート42に挿入可能である。第３のシート42は、実質的に長方形の平面形状を有し、フーチング（土台）43に形成される。フーチング43は、第１のパネル１に耐えるのに適し、建物の基礎に配置される。第３のシート42は、第１の脚36がその内部に軸方向に挿入されること、及び、第３のシート42から逃げることなく、配置されたその平面に対して、選択された回転を実行することを許容する寸法を有する。
【００２７】
パネル１は、相互に並んで配置された２つのパネル１の隣接する２つの垂直材5a,5bの相互の回転を制限するための第３の制限手段を更に有する。
第３の制限手段は、有利には、ばね44によって構成される。ばね44は、略Ｕ字形状の平面形状をなすように押し出され若しくは折られた薄板によって構成され、ばね44には、略平坦な第２のベース45が存在する。第２のベース45の寸法は、使用中、相互に嵌合された２つの垂直材5a,5bの相互に面する２つの第２のシート11内に収容可能であるようなものである。
【００２８】
ばね44の第２のベース45は、使用中、垂直材5aの第２の側壁17に隣接する第２のシート11のうちの１つの中にこのように配置され、そして、適当に設けられた第１のピン46によって垂直材5aに固定される。第１のピン46は、添付の図面には示されていない適当に設けられた第８の孔に固定可能であり、第８の孔は第２の側壁17に形成される。
２つの第２のアームは、符号47a及び47bがそれぞれ付され、第２のベース45から突出し、実質的に平坦で且つ相互に平行である。第２のアーム47a,47bは、第２のベース45に傾斜部によって接続され、傾斜部は、第２のアーム47a,47bが相互に近付く方向でのそれらの弾性的な曲げを容易にする。
【００２９】
２つの第２のアーム47a,47bの長さは、相互に嵌合された２つの垂直材5a,5bの相互に面する２つの第２のシート11間の空間によって形成された距離の合計よりも短い。
２つの第２のアーム47a,47bの自由端は、それぞれの第２のシート11の深さ方向にて略中間に配置され、ばね44の外側に向け且つ第２のベース45に向けて折られ、符号48a及び48bが付された２つのフックをそれぞれ形成している。フック48a,48bは傾斜し、使用中、隣接する垂直材5aの第２のシート11内に位置付けられることができる。
【００３０】
フック48a,48bは、使用中、アクセスポート12を通じて第２のシート11からフック48a,48bが逃げるのを防止するべく、それぞれの第２のシート11の隣接部13にそれぞれ係合可能である。
有利には、パネル１は、建物の耐圧構造物49にパネル1を固定するための固定手段を備える。耐圧構造物49は、支持体50を有利には備え、支持体50は、平行六面体状に略成形されている。２つの第４のシート51が支持体50の軸方向に存在し、第４のシート51は、第２のアクセスポート52及び２つの第２の縦の隣接部53a,53bを形成するよう、略Ｔ字形状の横断面を有利には有する。第２のアクセスポート52及び第２の縦の隣接部53a,53bは、第４のシート51の全長に沿って存在する。
【００３１】
有利には、第２の開口54が、第２のアクセスポート52とは反対側にて、第２のアクセスポート52の軸方向に並んで設けられ、且つ、支持体50の全体に存在する。第２のピン55は適当に設けられ、耐圧構造物49に固定可能であり且つ第２の開口54に挿入可能である。
少なくとも１つのブラケット56は、第４のシート51のそれぞれにスライド可能に結合可能であり、そして、第２のヘッド57を形成するように略Ｔ字形状の平面形状を有利には有する。第２のヘッド57は、平行六面体状に実質的に成形され、第４のシート51とスライド可能に結合可能である。内部にねじ山をつけられた第９の孔58が第２のヘッド57に対し略軸方向に形成されている
実質的に板状の第２の脚59は、第２のヘッド57から略直角に突出し、そして、添付の図面に示されない適当に設けられた第３の開口を通じて、垂直材5a,5bの第１のシート6内に挿入可能である。第３の開口は、垂直材5a,5bにそれらの上端14近傍にて形成されている。
【００３２】
第２の脚59は、第５のねじ60によって、それぞれの垂直材5a,5bに固定可能である。第５のねじ60は、適当に設けられた第10の孔61に結合可能であり、第10の孔61は、垂直材5a,5bの第１の側壁８に形成される。第５のねじ60は、相補的にねじ山をつけられた第11の孔62に固定可能であり、第11の孔62は、第２の脚59に形成される。
有利には、支持体50に対するブラケット56の軸方向位置は、適当に設けられた調整手段63によって調整可能である。調整手段は、有利には、第６のねじ63により構成され、第６のねじ63のねじ山をつけられた軸は、相補的にねじ山をつけられた第９の孔58と協働する。第６のねじ63は、第２のヘッド57及び孔あき板64からなる挿入物と軸方向に結合され、孔あき板64は、第２のヘッド57の下方への逃げを防止するために、第４のシート51の上端に対して接するのに適している。
【００３３】
従って、作業は以下の通りである。添付の図面を参照すると、複数の支持体50は、支持体50と結合された第２のピン55が建物の耐圧構造物49に堅固に結合されて、建物の耐圧構造物49に固定される。
それから、ブラケット56は、パネル１の垂直材5a,5bに固定され、そしてその後、支持体50の第４のシート51に挿入される。
【００３４】
耐圧構造物49に対するパネル１の垂直位置は、ブラケット56の第２のヘッド57の第９の孔58への第６のねじ63の挿入の程度を変化させることにより簡単に調整される。このような方法で、支持体50の第４のシート51に対する第２のヘッド57の縦方向位置を調整することが実際に可能である。
このようにして複数のパネル１は、カーテンウォールを得るために、相互に重ね合わされた複数の列を構成するべく相互に並んで配置される。
【００３５】
別々のパネル１の雄部材32は、下にあるパネル１の隣接する雌部材37と係合し、下から第１列の雄部材32は、フーチング43の第３のシート42に挿入される。フーチング43は、建物の耐圧構造物49に順次固定される。
横方向に並んで配置された別々のパネル１の隣接する垂直材5a,5bは、複数のばね44によって相互接続される。ばね44は、それらの第２のベース45及びフック48a,48bとともに、隣接する垂直材5a,5bの各組の第２のシート11にそれぞれ挿入される。
【００３６】
カーテンウォールの近傍で爆発が発生すると、爆発によって生じた衝撃波は、パネル１に伝えられる。パネル１の垂直材5a,5b及び横材24は、かなりの変形に達するとしても、それらが永久的に変形することができるよう大きさが決定される。
最も外側のガラス板４は、爆発の間に壊れることができるよう、随意に大きさが決定される。
【００３７】
最も内側のガラス板４もまた壊れることができるが、その破片は、ガラス板４を強化する１つ又はそれ以上のプラスチックシートにくっついてとどまる。シートの大きさは、壊れることなく塑性変形することができるように決定され、これにより、それらに結合された破片が、建物の内側の人々又は物にダメージを与えるかもしれないという危険が低減される。
【００３８】
垂直材5a,5bと横材24との間を強化するとともに相互接続する第１の手段の存在は、それらが受ける大きな変形が、それらの相互の分離を引き起こすかもしれないという危険を低減する。相互の分離は、それらによってなお支持されるガラス板４の落下を引き起こすことがある。少なくとも最も内側のガラス板４は、それ故枠３に結合されてとどまり、変形させることはできるが壊れることはできず、これにより爆発によって生じた衝撃波から建物の内部を保護する。
【００３９】
更に、雄部材32の雌部材37との係合は、２つの相互に重ね合わされたパネル１の連続する垂直材5a,5bに、相互に分離することなく大きな変形及び移動を受けさせ、これにより、爆発の間、カーテンウォールの縦の連続性が確保され、そしてその結果、爆発の影響から建物の内部を保護する。
更に、ばね44の存在は、相互に並べられた別々のパネル１が爆発の間分離しないことを確保し、これにより、カーテンウォールの連続性が水平方向でも維持されることが確保される。
【００４０】
カーテンウォールの水平方向での連続性の維持は、ブラケット56の第２のヘッド57及びそれらが収容されている第４のシート51の形状によっても援助されている。これらの構成要素の四角形状は、それぞれの支持体50に対するブラケット56の最小の回転を許容する。
かくして、特に耐爆発カーテンウォールを提供するためのパネルがもたらされ、本発明が意図した目標及び目的が達成されることがわかった。パネルは、それを構成する垂直材及び横材の変形を許容することにより、垂直材及び横材に大きな厚さ及びその結果としての大きな重量を有することを要求せず、これにより、それが設置された建物の耐圧構造物にパネルによって加えられる機械的応力が低減される。
【００４１】
更に、垂直材及び横材の低減された重量、並びに、支持体及びブラケットの存在は、パネルの輸送及び設置を用意にする。
また、２つの連続する垂直材の相互の位置を強化するとともに案内するための第２の手段、及び、２つの隣接する垂直材の相互の回転を制限するための第３の手段の存在は、爆発の間、本発明のパネルによって構成されたカーテンウォールの垂直及び水平方向の連続性を保つことを許容し、これにより爆発の影響から建物の内部を保護する。
【００４２】
更に、垂直材及び横材が塑性変形する可能性、及び、その結果として爆発のエネルギーの一部を吸収する可能性は、建物の耐圧構造物に伝えられるエネルギーの一部を制限し、その結果それに与えられるダメージを制限する。
また、本発明は、簡単に入手可能又は製造及び組み立てが単純な構成要素によってもっぱら構成されているため、本発明の製造コストは低くとどまる。
【００４３】
ここで使用された、「略」、「実質的」、及び「実質的に」との用語は、本技術分野の当業者によって通常知られている許容誤差を別にすれば、それらが言及する特徴が、記載された構造、形状又は形態を有することを意味することを目的としている。
本発明は、多くの変更及び変形を勿論許容し、それらの全ては、添付の特許請求の範囲の要旨に入る。使用される材料は、本発明の個々の構成要素を構成する寸法と同様に、特定の要求に従って、より適切なものであっても勿論よい。
【００４４】
一定の異なる機能を実行するための個々の手段は、図示された実施形態の中にのみ確実に共存する必要はなく、図示されていない実施形態を含む多くの実施形態の中に本来存在することができる。
有利である、便利である等と記載された特徴もまた、省略されてもよく、又は等価なもので置換されてもよい。
【図面の簡単な説明】
【００４５】
【図１】建物の耐圧構造物に適用する前の本発明に係る２つのパネルの斜視図である。
【図２】建物の耐圧構造物に適用した後の本発明に係る２つのパネルの斜視図である。
【図３】本発明に係るパネルの詳細な分解斜視図である。
【図４】図３のパネルの第１の強化及び相互接続手段の詳細な分解斜視図である。
【図５】図３のパネルの第２の強化及び案内手段の詳細な分解斜視図である。
【図６】異なる作業状態での図５の第２の手段の詳細な斜視図である。
【図７】本発明に係るパネル及び当該パネルの下に結合可能なフーチングの詳細な分解斜視図である。
【図８】隣接する２つのパネルの横断面に沿った詳細な断面図である。
【図９】図８の横断面とは平行な異なる横断面に沿った、隣接する２つのパネルの詳細な断面図である。
【図１０】非作動状態の隣接する２つのパネルの斜視図である。
【図１１】相互に回転した状態の隣接する２つのパネルの図１０と同様の図である。
【符号の説明】
【００４６】
１      パネル
３      支持枠
４      ガラス板
5a,5b  垂直材
24      横材
25      ブロック（第１の手段）
32      雄部材（第２の手段）
37      雌部材(第２の手段)
44      ばね（第３の手段）
【図１】
2007205159.tif 000003
【図２】
2007205159.tif 000004
【図３】
2007205159.tif 000005
【図４】
2007205159.tif 000006
【図５】
2007205159.tif 000007
【図６】
2007205159.tif 000008
【図７】
2007205159.tif 000009
【図８】
2007205159.tif 000010
【図９】
2007205159.tif 000011
【図１０】
2007205159.tif 000012
【図１１】
2007205159.tif 000013